(57)【要約】【課題】柔軟性のある袋体の任意の高さ位置にてを瞬時に結束し得ると共に、且つ結束後の該部をリボン結びのような美麗に結束することのできる袋体の装飾結束具を提供する。【解決手段】柔軟性のある上部開口の袋体と、所定口径を有する柔軟材料からなる所定幅のループ体に沿って挿通された牽引紐の一対の引出し牽引端部を臨出させてなる締結紐とからなる袋体締結具としてある。【選択図】      図１
0003102619.tif 000002
【実用新案登録請求の範囲】
【請求項１】
柔軟性のある上部開口の袋体と、所定口径を有する柔軟材料からなる所定幅のループ体に沿って挿通された牽引紐の一対の引出し牽引端部を臨出させてなる締結紐とからなり、とを特徴とする袋体締結具。
【請求項２】
袋体は、紙製、不織布製、プラスチックスシート製又はプラスチックフィルム製である請求項１記載の袋体締結具。
【請求項３】
ループ体は、内部に紐挿通孔を備えたループ状筒体であって、該ループ体には引出し牽引端部を臨出させるため対向側に紐孔をそれぞれ設け、対向側に紐孔より挿通紐の両端を臨出させた請求項１記載の袋体締結具。
【請求項４】
ループ体は、内部に紐挿通孔を備えたループ状筒体であって、該ループ体には引出し牽引端部を臨出させるための単数孔を設け、該単数孔より挿通紐の牽引端部の両端を臨出させた請求項１記載の袋体締結具。
【請求項５】
ループ体は、このループ体の表面外周囲に複数の紐通片を形成し、この複数の紐通片に牽引可能な引出し牽引端部を臨出させた請求項１、請求項３又は請求項４記載の袋体締結具。
【請求項６】
ループ体は、広幅であって、且つ内部に挿通される牽引紐も広幅のリボン状である請求項１、請求項３、請求項４、又は請求項５記載の袋体締結具。
【請求項７】
ループ体は、その表面側に所定領域に係合片を設けた請求項１、請求項３、請求項４、請求項５、請求項記載の袋体締結具。。
【考案の詳細な説明】
【技術分野】
【０００１】柔軟性のある材料にて形成された袋体の上部位置の任意の高さ位置を、内部に牽引紐を挿通させてある筒状ループ体からなる結束用紐にて絞り締めすることのできる袋体締結具に関する。
【背景技術】
【０００２】柔軟性のある袋体の上部布製の袋体の開口部に一体的に形成された筒状部に挿入された牽引紐を牽引することによって袋体の開口部が締結される、いわゆる「巾着袋」は、従来から存在する。また、前記の布製の袋体をプラスチック袋に代えて、このプラスチック袋の上部開口部に一体的に形成した筒状部に牽引紐を設けたものも存在する（例えば、特許文献１）。【０００４】更に、適宜に結束位置を変更し得る結束装置としては、各種のものが提供されているが、例えば、ひも状の結束具としては、結束バンドを利用するものがある。（例えば、特許文献２）又は、相互に係合する一対の係合板を利用するものがある。（例えば、特許文献３、及び特許文献４）がある。【０００５】
【特許文献１】実開平７−４６８５５号
【特許文献２】実公平７−４６８５５号
【特許文献３】特開２００２−１７９１３０号
【特許文献４】特開平１１−２０６４３８号
【考案の開示】
【考案が解決しようとする課題】
【０００６】従来、布製又はプラスチック製の開口部に形成された筒状部に挿入された牽引紐を牽引することによって袋体の開口部が締結されるようなものでは、締結位置が上端開口部と決まっているいるために、内部に収納する商品のサイズに応じた結束ができない。即ち、内部に収容される商品の大、小があった場合にでも、その結束位置は常に上端開口部と決まっているから、仮に、内部に収容される商品が小さい場合には、収容空間が空き部分が大きく収容される商品が内部で不安定になる傾向がある。
更に、柔軟性のある袋体の内部に立体性のある商品を収容して、例えば上記の公知の特許文献２、特許文献３、特許文献４のような結束具で結束したとしても、これらの特許文献２、特許文献３、特許文献４の結束具は、結束のみをその目的としているから、リボン結びのような美麗な結束は実現されない。
本願考案は前記の結束具とは異なり、袋体の任意の高さ位置にてを瞬時に結束し得ると共に、且つ結束後の該部をリボン結びのような美麗に結束することのできる袋体の装飾結束具を提供するものである。
【考案が解決するための手段】
【０００７】請求項１記載の考案は、柔軟性のある上部開口の袋体と、所定口径を有する柔軟材料からなる所定幅のループ体に沿って挿通された牽引紐の一対の引出し牽引端部を臨出させてなる締結紐とからなる袋体締結具としてある。
【０００８】また、請求項２記載の考案にあっては、袋体は、紙製、不織布製、プラスチックスシート製又はプラスチックフィルム製である。
【０００９】更に、請求項３記載の考案にあっては、ループ体は、内部に紐挿通孔を備えたループ状筒体であって、該ループ体には引出し牽引端部を臨出させるため対向側に紐孔をそれぞれ設け、対向側に紐孔より挿通紐の両端を臨出させた袋体締結具としてある。
【００１０】そして、請求項４記載の考案にあっては、ループ体は、内部に紐挿通孔を備えたループ状筒体であって、該ループ体には引出し牽引端部を臨出させるための単数孔を設け、該単数孔より挿通紐の牽引端部の両端を臨出させた袋体締結具としてある。
【００１１】更にまた、請求項５記載の考案にあっては、ループ体は、このループ体の表面外周囲に複数の紐通片を形成し、この複数の紐通片に牽引可能な引出し牽引端部を臨出させた袋体締結具としてある。
【００１２】しかも、請求項６記載の考案にあっては、ループ体は広幅であって、且つ内部に挿通される牽引紐も広幅のリボン状である袋体締結具としてある。
【００１３】また、請求項７記載の考案にあっては、ループ体は、その表面側に所定領域に係合片を設けた袋体締結具としてある。
【考案の効果】
【００１４】柔軟性のある上部開口の袋体と、所定口径を有する柔軟材料からなる所定幅のループ体に沿って挿通された牽引紐の一対の引出し牽引端部を臨出させてなる締結紐とからなる袋体締結具としてあるので、柔軟性のある上部開口の袋体の任意の高さ位置にて美麗締結紐の一対の引出し牽引端部を外方に牽引するだけで、一瞬にループ体が収束してワンタッチ結束することができ、しかも、結束紐をリボン結びするなどして美麗に結束状態を維持することができる。ループ体が比較的広幅であって、且つ結束紐が広幅のリボンのような場合には、誕生日、結婚記念日、バレンタインデー、ホワイトデー、クリスマスデー等の各種の記念用としてギフト商品、記念品を包装する際に、熟練の技術の必要もなくワンタッチにてリボン結びを強固に美麗に行なうことができるものである。
しかも、柔軟性のある上部開口の袋体であれば、袋容器の口径より小口径ののループ体であっても結束の支障はない。
【００１５】更に、結束ループ体と柔軟な袋体とは別体に形成されているため、袋体内部に収容する商品の大小に応じてその高さ位置を随時に決めることができるため、袋体を結束した後は、内部の商品を安定させることができるものである。
【００１６】結束ループ体と柔軟な袋体とは別体に形成されているため、ループ体は必要があれば複数回の使用も可能である。
【考案を実施するための最良の形態】
【００１７】紙製、不織布製、プラスチックスシート製又はプラスチックフィルム製のような柔軟性のある材料に形成された上部開口の袋体と、所定口径を有する柔軟材料からなる所定幅のループ体に沿って挿通された牽引紐の一対の引出し牽引端部を臨出させてなる袋体締結具であって、前記牽引紐の一対の引出し牽引端部を牽引することによって、瞬時に内部に商品を収納した状態で前記上部開口の袋体の任意の高さ位置にて瞬時に、且つ強固に結束することが出来るものである。
【実施例１】
【００１８】図１〜図６では、紙製、不織布製、又はプラスチックフイルム製のような柔軟性のある上部開口部１を備えた袋体２であって、この袋体２とは別体の筒状ループ体３は、その内部に紐挿通孔４を備えたおり、該筒状ループ体３の紐挿通孔４に挿通紐５、５を挿通し、挿通紐３の引出し牽引端部紐６、６を端出させるための紐孔７、７を対向側にそれぞれ形成してあるものである。対向側に形成された紐孔７、７から引出し牽引端部紐６、６を円滑に取り出す場合には、挿通紐３は前記筒状ループ体３の内部に一又は複数回捲回されて前記の対向側に形成してある紐孔６、６より挿通紐５、５の引出し牽引端部紐６、６をそれぞれ端出してある。図１の牽引端部紐６、６を矢印方向に牽引することによって、図２のように袋体２の上方部が結束され、しかる後に挿通紐５、５を適宜に結束すればよい。
前記袋体２は、柔軟性のある材料であれば、紙製、不織布製、プラスチックフィルム製、その他これらの複合材料でもよい。【００１９】筒状ループ体３は、は広幅であって、且つ内部に挿通される挿通紐５、５も広幅のリボン状であれば、リポン状の挿通紐５、５を両端から牽引することによって筒状ループ体３は褶曲して結束することができる。【００２０】更に、図８に示すように、筒状ループ体３の全面の一定区間に雌雄兼用のマジックテープ（登録商標）のような係合片８を付設することによって、一回の牽引褶曲時に隣合う雌雄兼用のマジックテープが仮止めされることによって結束が緩むことなく、その後のリボン結び９を丁寧に美しく結ぶことができる。対向側に設けられた紐孔７、７からそれぞれ牽引端部紐６、６を牽引することになるから、リボン結び９は紐孔７、７の中間点で行われることになる。
なお、袋体２の上部中央部には手持ち穴１０を形成してある。
【実施例２】
【００２１】図７では、紙製、不織布製、又はプラスチックフイルム製のような柔軟性のある上部開口部１を備えた袋体２であって、この袋体２とは別体の筒状ループ体１３は、その内部に紐挿通孔１４を備えたおり、該筒状ループ体１３の紐挿通孔１４に挿通紐１５、１５を挿通し、挿通紐１３の引出し牽引端部紐１６、１６を端出させるための単数の紐孔１７を形成してあるものである。単数の紐孔１７から引出し牽引端部紐１６、１６を円滑に取り出す場合には、挿通紐１３は前記筒状ループ体１３の内部に一又は複数回捲回されて前記の単数の紐孔１７より挿通紐１５、１５の引出し牽引端部紐１６、１６をそれぞれ端出ししてある。【００２２】前記袋体２は、内層と外層とからなる二層タイプの袋体２ａ又は、内層、中層及び外層とからなる三層タイプの多層袋体でもよい。【００２３】筒状ループ体１３は、は広幅であって、且つ内部に挿通される挿通紐１５、１５も広幅のリボン状であれば、リポン状の挿通紐１５、１５を両端から牽引することによって褶曲して結束することができる。
更に、図８に示すように、筒状ループ体１３の顔面の一定区間に雌雄兼用のマジックテープのような係合片１８を付設することによって、一回の牽引褶曲時に隣合う雌雄兼用のマジックテープが仮止めされることによって結束が緩むことなく、その後のリボン結びを丁寧に完了することができる。
単数の紐孔１７から二本の引出し牽引端部紐１６、１６を牽引することになるから、リボン結びは紐孔１７近辺で行うことができる。
【産業上の利用可能性】
【００２４】紙製、不織布製、又はプラスチックフイルム製のような柔軟性のある材料からなる袋体の結束に関して、内部に収納された商品が安定する袋体の高さ位置で任意に結束でき、しかも該袋体の結束を瞬時に、且つ美麗にできるので各種のギフト商品の包装を手際よくできることから広く産業上に利用できることになる。
【図面の簡単な説明】
【００２５】
【図１】袋体の上部に筒状ループ体を被冠した状態の斜視図である。
【図２】袋体の内部に商品を収納して牽引端部紐を両方から牽引した状態の斜視図である。
【図３】内部に商品を収納して袋体を口部を結束してリボン結びした状態の斜視図である。
【図４】筒状ループ体の斜視図である。
【図５】筒状ループ体の縦断面図である。
【図６】筒状ループ体を締結した状態の斜視図である。
【図７】単数箇の取出し孔複数本のリポン状の挿通紐を取り出すタイプループ体の斜視図である。
【図８】袋体の締結状態において係合片が係合した状態を示す断面図である。
【符号の説明】
１．．．．上部開口部
２．．．．袋体
３．．．．筒状ループ体
４．．．．紐挿通孔
５．．．．挿通紐
６．．．．牽引端部紐
７．．．．紐孔
８．．．．係合片
９．．．．リボン結び
１０．．．手持ち穴
１３．．．筒状ループ体
１４．．．紐挿通孔
１５．．．挿通紐
１６．．．牽引端部紐
１７．．．紐孔
１８．．．係合片
【図１】
0003102619.tif 000003
【図２】
0003102619.tif 000004
【図３】
0003102619.tif 000005
【図４】
0003102619.tif 000006
【図５】
0003102619.tif 000007
【図６】
0003102619.tif 000008
【図７】
0003102619.tif 000009
【図８】
0003102619.tif 000010